(57)【要約】【課題】設定情報が予め記憶されていない他のジョブ実行装置でも、所定のジョブの実行ができるジョブシステムを提供する。【解決手段】ジョブの指示を受け付けて実行する第１ジョブ実行装置と、該第１ジョブ実行装置と接続確立されており、複数のユーザ識別情報の各々に対応付けてジョブの実行に係る設定情報を記憶する第１記憶装置とを含むジョブシステムにおいて、ユーザ識別情報が記録されている記録媒体を備え、前記第１ジョブ実行装置は、ジョブの実行の際、該ジョブに係る設定情報と、前記第１記憶装置との接続確立に係る接続情報とを、前記記録媒体に記録することにより、次回からは、該記録媒体に記録された設定情報に基づき、又は接続情報を用いて前記第１記憶装置から取得した設定情報に基づき、所定のジョブが実行される。【選択図】図３
2013165395.tif 000002
【特許請求の範囲】
【請求項１】
ジョブの指示を受け付けて実行する第１ジョブ実行装置と、該第１ジョブ実行装置と接続確立されており、複数のユーザ識別情報の各々に対応付けてジョブの実行に係る設定情報を記憶する第１記憶装置とを含むジョブシステムにおいて、
ユーザ識別情報が記録されている記録媒体を備え、
前記第１ジョブ実行装置は、
ジョブの実行の際、該ジョブに係る設定情報と、前記第１記憶装置との接続確立に係る接続情報とを、前記記録媒体に記録する記録手段を備えることを特徴とするジョブシステム。
【請求項２】
前記第１ジョブ実行装置は、
ジョブの指示を受け付ける際、前記記録媒体からユーザ識別情報を取得する第１取得部と、
取得されたユーザ識別情報に対応する設定情報を前記第１記憶装置から取得する第２取得部と、
取得された設定情報に係る画像を表示する第１表示部と
を備えることを特徴とする請求項１に記載のジョブシステム。
【請求項３】
第２ジョブ実行装置と、第２記憶装置とを更に備え、該第２ジョブ実行装置は該第２記憶装置と接続確立されており、
前記第２ジョブ実行装置は、
ジョブの指示を受け付ける際、前記記録媒体からユーザ識別情報を取得する第３取得部と、
取得されたユーザ識別情報に対応する対応設定情報を前記第２記憶装置から取得できるか否かを判定する判定手段とを備え、
前記対応設定情報が前記第２記憶装置から取得できないと判定された場合、
前記第３取得部は、前記記録媒体から前記設定情報又は接続情報を取得し、
取得された設定情報又は接続情報に基づき、受け付けた指示に係るジョブを実行するように構成されていることを特徴とする請求項１に記載のジョブシステム。
【請求項４】
前記第２ジョブ実行装置は、
前記対応設定情報が前記第２記憶装置から取得できないと判定された場合、
前記第３取得部が前記記録媒体から接続情報を取得し、
取得された接続情報に基づき、前記第１記憶装置と接続確立を行なうように構成されていることを特徴とする請求項３に記載のジョブシステム。
【請求項５】
前記第２ジョブ実行装置は、
前記対応設定情報が前記第２記憶装置から取得できないと判定された場合、
前記第３取得部が前記記録媒体から設定情報を取得し、
取得された設定情報に基づき、新たな設定情報を表示する第２表示部を備えることを特徴とする請求項３に記載のジョブシステム。
【発明の詳細な説明】
【技術分野】
【０００１】
本発明は、ジョブの指示を受け付けて実行するジョブ実行装置と、該ジョブ実行装置と接続確立されており、複数のユーザ識別情報の各々に対応付けてジョブの実行に係る設定情報を記憶する記憶装置とを含むジョブシステムに関する。
【背景技術】
【０００２】
近年、画像形成装置から得られた画像データに対する後処理などを外部サーバにて行なうシステムが開発されている。
【０００３】
例えば、特許文献１においては、画像形成装置の条件設定のために、外部のリムーバブルメディア等に対して認証を行なった後、該認証済みの外部のリムーバブルメディア等からあらかじめ出力設定データを読み込む認証印刷システムが開示されている。
【先行技術文献】
【特許文献】
【０００４】
【特許文献１】特開２００６−２６８１０６号公報
【発明の概要】
【発明が解決しようとする課題】
【０００５】
しかしながら、特許文献１の認証印刷システムにおいては、出力設定データを読み込むために、利用すべき画像形成装置にリムーバブルメディア等を接続するなど、ユーザの操作が必要である上に、複数の画像形成装置又は複数の外部サーバに対して、何れの条件設定の組み合わせでも利用出来るよう、事前に設定しておく必要があり、多大なコストが発生する。
【０００６】
本発明は、斯かる事情に鑑みてなされたものであり、その目的とするところは、ジョブの指示を受け付けて実行する第１ジョブ実行装置と、該第１ジョブ実行装置と接続確立されており、複数のユーザ識別情報の各々に対応付けてジョブの実行に係る設定情報を記憶する第１記憶装置とを含むジョブシステムにおいて、ユーザ識別情報が記録されている記録媒体を備え、前記第１ジョブ実行装置は、ジョブの実行の際、該ジョブに係る設定情報と、前記第１記憶装置との接続確立に係る接続情報とを、前記記録媒体に記録することにより、次回からはユーザの操作を必要とせず、該記録媒体に記録された設定情報に基づき、又は該記録媒体に記録された接続情報を用いて前記第１記憶装置から取得した設定情報に基づき、所定のジョブが実行され得るジョブシステムを提供することにある。
【課題を解決するための手段】
【０００７】
本発明に係るジョブシステムは、ジョブの指示を受け付けて実行する第１ジョブ実行装置と、該第１ジョブ実行装置と接続確立されており、複数のユーザ識別情報の各々に対応付けてジョブの実行に係る設定情報を記憶する第１記憶装置とを含むジョブシステムにおいて、ユーザ識別情報が記録されている記録媒体を備え、前記第１ジョブ実行装置は、ジョブの実行の際、該ジョブに係る設定情報と、前記第１記憶装置との接続確立に係る接続情報とを、前記記録媒体に記録する記録手段を備えることを特徴とする。
【０００８】
本発明にあっては、前記第１ジョブ実行装置が、受け付けた指示に係るジョブの実行の際、該ジョブに係る設定情報と、前記第１記憶装置との接続確立に係る接続情報とを、前記記録媒体に記録する。以降、たとえ、他のジョブ実行装置にて前記ジョブが行なわれる場合であっても、該記録媒体に記録された設定情報に基づき、又は該記録媒体に記録された接続情報を用いて前記第１記憶装置から取得した設定情報に基づき、当該ジョブが実行され得る。
【０００９】
本発明に係るジョブシステムは、前記第１ジョブ実行装置は、ジョブの指示を受け付ける際、前記記録媒体からユーザ識別情報を取得する第１取得部と、取得されたユーザ識別情報に対応する設定情報を前記第１記憶装置から取得する第２取得部と、取得された設定情報に係る画像を表示する第１表示部とを備えることを特徴とする。
【００１０】
本発明にあっては、ジョブの指示を受け付ける際、前記第１ジョブ実行装置の第１取得部が前記記録媒体からユーザ識別情報を取得する。前記第１ジョブ実行装置の第２取得部は、前記第１取得部によって取得されたユーザ識別情報に対応する設定情報を前記第１記憶装置から取得し、前記第１表示部には、取得された設定情報に基づく画像が表示される。
【００１１】
本発明に係るジョブシステムは、第２ジョブ実行装置と、第２記憶装置とを更に備え、該第２ジョブ実行装置は該第２記憶装置と接続確立されており、前記第２ジョブ実行装置は、ジョブの指示を受け付ける際、前記記録媒体からユーザ識別情報を取得する第３取得部と、取得されたユーザ識別情報に対応する対応設定情報を前記第２記憶装置から取得できるか否かを判定する判定手段とを備え、前記対応設定情報が前記第２記憶装置から取得できないと判定された場合、前記第３取得部は、前記記録媒体から前記設定情報又は接続情報を取得し、取得された設定情報又は接続情報に基づき、受け付けた指示に係るジョブを実行するように構成されていることを特徴とする。
【００１２】
本発明にあっては、ジョブの指示を受け付ける際、前記第２ジョブ実行装置の第３取得部が、前記記録媒体からユーザ識別情報を取得し、取得されたユーザ識別情報に対応する対応設定情報を前記第２記憶装置から取得できるか否かが前記第２ジョブ実行装置の判定手段によって判定される。前記対応設定情報が前記第２記憶装置から取得できないと判定された場合、前記第３取得部は、前記記録媒体から前記設定情報又は接続情報を取得し、取得された設定情報又は接続情報に基づき、受け付けた指示に係るジョブが実行される。
【００１３】
本発明に係るジョブシステムは、前記第２ジョブ実行装置は、前記対応設定情報が前記第２記憶装置から取得できないと判定された場合、前記第３取得部が前記記録媒体から接続情報を取得し、取得された接続情報に基づき、前記第１記憶装置と接続確立を行なうように構成されていることを特徴とする。
【００１４】
本発明にあっては、前記第２ジョブ実行装置においては、前記判定手段によって、前記対応設定情報が前記第２記憶装置から取得できないと判定された場合、前記第３取得部が前記記録媒体から接続情報を取得し、取得された接続情報に基づき、前記第１記憶装置との接続確立が行なわれる。
【００１５】
本発明に係るジョブシステムは、前記第２ジョブ実行装置は、前記対応設定情報が前記第２記憶装置から取得できないと判定された場合、前記第３取得部が前記記録媒体から設定情報を取得し、取得された設定情報に基づき、新たな設定情報を表示する第２表示部を備えることを特徴とする。
【００１６】
本発明にあっては、前記第２ジョブ実行装置においては、前記判定手段によって、前記対応設定情報が前記第２記憶装置から取得できないと判定された場合、前記第３取得部が前記記録媒体から設定情報を取得し、取得された設定情報に基づき、前記第２表示部には新たな設定情報が表示される。
【発明の効果】
【００１７】
本発明によれば、ジョブの実行の際、該ジョブに係る設定情報と、前記第１記憶装置との接続確立に係る接続情報とが、前記記録媒体に記録されるので、次回からは、ユーザによる別途の操作を必要とせず、該記録媒体に記録された設定情報に基づき、又は該記録媒体に記録された接続情報を用いて前記第１記憶装置から取得した設定情報に基づき、所定のジョブが実行され得る。
【図面の簡単な説明】
【００１８】
【図１】本発明の実施の形態に係るジョブシステムの概念図である。
【図２】本発明の実施の形態に係るジョブシステムにおける、複合機の要部構成を示す機能ブロック図である。
【図３】本発明の実施の形態に係るジョブシステムにおける、複合機の制御部の要部構成を示す機能ブロック図である。
【図４】本発明の実施の形態に係るジョブシステムにおける、サーバの要部構成を示す機能ブロック図である。
【図５】本発明の実施の形態に係るジョブシステムにおける、ＩＣカードの要部構成を示す機能ブロック図である。
【図６】本発明の実施の形態に係るジョブシステムにおける、ジョブの実行の一例を説明するフローチャートである。
【図７】本発明の実施の形態に係るジョブシステムにおいて、複合機の表示部に表示される受付画面の一例を示す例示図である。
【図８】本発明の実施の形態に係るジョブシステムにおいて、複合機の表示部に表示される選択受付画面の一例を示す例示図である。
【図９】本発明の実施の形態に係るジョブシステムにおける、複合機の要部構成を示す機能ブロック図である。
【図１０】本発明の実施の形態に係るジョブシステムにおける、複合機の制御部の要部構成を示す機能ブロック図である。
【図１１】本発明の実施の形態に係るジョブシステムにおける、ジョブの実行の他例を説明するフローチャートである。
【図１２】本発明の実施の形態に係るジョブシステムにおける、ジョブの実行の他例を説明するフローチャートである。
【発明を実施するための形態】
【００１９】
以下に、本発明の実施の形態に係るジョブシステムにおいて、ジョブ実行装置及び記憶装置を、夫々複合機及びサーバに適用した場合を例として、図面に基づいて詳述する。
【００２０】
図１は本発明の実施の形態に係るジョブシステムの概念図である。本発明の実施の形態に係るジョブシステムは、複数の複合機（ジョブ実行装置）と、夫々の複合機と接続されている、複数のサーバ（記憶装置）とを含む。
【００２１】
図１に示す例においては、複合機１００及びサーバ２００の間にて接続が確立されており、複合機３００及びサーバ４００の間にも接続が確立されている。一方、複合機１００及びサーバ４００の間には接続が確立されておらず、複合機３００及びサーバ２００の間においても接続は確立されていない。
【００２２】
本発明の実施の形態に係るジョブシステムは、ユーザＵが携帯しており、該ユーザＵに係るユーザ識別情報が記録されたＩＣカード１０（記録媒体）を更に含み、ユーザＵはＩＣカード１０を介して認証を行い、何れかの複合機に所定ジョブ（例えば、スキャン、ＦＡＸ、複写、印刷等）を指示する。
【００２３】
図２は本発明の実施の形態に係るジョブシステムにおける、複合機１００の要部構成を示す機能ブロック図である。
【００２４】
複合機１００は、制御部１、画像入力部２０、画像処理部３０、画像出力部４０、送受信部５０、操作パネル６０、表示部７０、記憶部８０及びリーダライタ９０等のハードウェアを備え、全体としてデジタル複合機を構成している。
【００２５】
画像入力部２０は、読み取り用の原稿に光を照射する光源、ＣＣＤ（Charge Coupled Device）のようなイメージセンサ等を有し、該原稿の画像データの光学的読み取りを行ない、該原稿の画像データ（以下、原稿画像データという。）を得る。例えば、画像入力部２０では、原稿台の読取り位置に載置された原稿からの反射光像を当該イメージセンサに結像させ、ＲＧＢ（R : Red, G : Green, B : Blue）のアナログデータを出力する。
【００２６】
画像処理部３０は、例えば、画像入力部２０から入力されるアナログデータ（原稿画像データ）を基にデジタル形式の画像データを生成し、又は記憶部８０に記憶されている画像データを読み出し、夫々の画像の種類に応じた処理を施した後、出力（印刷）すべき画像データを生成する。画像処理部３０によって生成された出力用画像データは、画像出力部４０に出力される。
【００２７】
画像出力部４０は、画像処理部３０から出力される画像データに基づく画像を記録用紙、ＯＨＰフィルム等に印刷する。画像出力部４０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録用紙等の上に転写する転写器等を備えており、例えば、電子写真方式にて画像を記録用紙の上に出力する。
【００２８】
送受信部５０は、外部にデータを送信し、又は外部からデータを受信するネットワークカード、モデム等を備えている。例えば、送受信部５０はＩ／Ｆ（図示せず）を介して、サーバ２００又は複合機３００に前記原稿画像データを送信し、またサーバ２００、４００から後述するプロファイル（設定情報）を受信（取得）する。
【００２９】
操作パネル６０は、複合機１００における「ＦＡＸ」、「複写」、「印刷」、「メール」等のジョブに係る機能を切り替える機能ボタン、テンキー、スタートキー、キャンセルキー、受け付けた指示を確定するためのエンターキー、画像入力部２０を介して読み取った原稿の画像をシート状の記録用紙の上に画像形成するための「出力」キー等を備えている。
【００３０】
表示部７０は、例えば、ＬＣＤ又はＥＬ（Electroluminescence）パネル等からなり、画像出力部４０を介して、所定の記録用紙に印刷すべき画像が表示される。また、表示部７０は、複合機１００の状態、ジョブ処理の状況、画像入力部２０が読み取った原稿の画像データ及び操作パネル６０の操作内容の確認等、利用者に対して報知すべき情報を表示する。
【００３１】
記憶部８０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００３２】
また、記憶部８０には、自機（複合機１００）の利用が許可されたユーザを特定するユーザ識別情報のリストが予め記憶されており、サーバ２００、４００から受信するプロファイル又は後述する接続情報が記憶される。
【００３３】
リーダライタ９０は、ＩＣカード１０と、いわゆる非接触方式の通信方式（ＲＦＩＤ（Radio Frequency Identification)通信）を用いて、接触・非接触の状態でのデータの送受信を行う。
【００３４】
以下、リーダライタ９０と、ＩＣカード１０との間における非接触方式の通信について説明する。リーダライタ９０からは常時起動信号（電磁波）が送信されており、ＩＣカード１０及びリーダライタ９０が、互いに通信することが可能な程度にまで接近した場合に、ＩＣカード１０がリーダライタ９０から送出された電磁波を受信する。ＩＣカード１０は、前記電磁波を受信した場合、該電磁波の搬送波を整流して直流電源を生成し、それで内部回路を駆動させる。そして、ＩＣカード１０では、振幅変調が行なわれ、前記起動信号に応じて応答信号をリーダライタ９０に送出する。これによって、ＩＣカード１０及びリーダライタ９０の間において、接続が確立される。
【００３５】
このようなＲＦＩＤ通信は、例えば、Ｆｅｌｉｃａ（登録商標）、Ｅｄｙ（登録商標）等に採用されている公知の技術である。リーダライタ９０は、ＩＣカード１０から持ち主たるユーザＵを表すユーザ識別情報を受信（取得）し、又は前記プロファイル及び接続情報をＩＣカード１０に送信（記録）する。
【００３６】
図３は本発明の実施の形態に係るジョブシステムにおける、複合機１００の制御部１の要部構成を示す機能ブロック図である。制御部１は、これらのハードウェアを制御するＣＰＵ２と、制御に用いられるプログラム等を記憶するＲＯＭ３と、制御の際に必要なデータ等を一時的に保持するＲＡＭ４とを備えている。
【００３７】
ＲＯＭ３には各種の制御プログラム、演算用のパラメータのうちの基本的に固定のデータ等が予め格納されており、ＲＡＭ４はデータを一時的に記憶し、記憶順、記憶位置等に関係なく読み出すことが可能である。また、ＲＡＭ４は、例えば、ＲＯＭ３から読み出されたプログラム、該プログラムを実行することにより発生する各種データ、該実行の際に適宜変化するパラメータ等を記憶する。
【００３８】
ＣＰＵ２は、ＲＯＭ３に予め格納されている制御プログラムをＲＡＭ４上にロードして実行することによって、上述した各種ハードウェアの制御を行ない、装置全体を本発明の複合機１００として動作させる。    
【００３９】
制御部１は、更に、表示制御部５、認証部６及び記録部７を備えている。
【００４０】
表示制御部５は、表示部７０への画像表示を制御する。例えば、表示制御部５は、ユーザからジョブの指示を受け付けるための受付画面を表示部７０に表示させる。また表示制御部５は、ユーザからプロファイルの選択を受け付けるための選択受付画面を、何れかのサーバから取得したプロファイルに基づき、表示部７０に表示する。
【００４１】
認証部６は、リーダライタ９０を介してＩＣカード１０から取得したユーザ識別情報を、記憶部８０に記憶されている前記ユーザ識別情報のリストと比較することにより、当該ユーザの認証を行なう。
【００４２】
記録部７は、ユーザから所定ジョブの指示を受け付けて実行する際、該ジョブに係るプロファイルであって、前記選択受付画面を介してユーザから受け付けたものと、自機との接続が確立されているサーバ２００との接続確立に用いられる接続情報とを、ＩＣカード１０に記録する。詳しくは、記録部７は斯かるプロファイル及び接続情報を、リーダライタ９０を介して、ＩＣカード１０に送信して、ＩＣカード１０の記憶部に記録させる。
【００４３】
図４は本発明の実施の形態に係るジョブシステムにおける、サーバ２００の要部構成を示す機能ブロック図である。
【００４４】
本発明に係るジョブシステムのサーバ２００は、制御部２１０と、記憶部２２０と、通信部２３０と、プロファイル提供部２４０と、インターフェイス提供部２５０とを備えている。
【００４５】
記憶部２２０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の大容量の記憶媒体により構成されている。
【００４６】
記憶部２２０には、複数のユーザの夫々に対応する、プロファイルが予め記憶されている。プロファイルとは、当該ユーザによって所定ジョブの実行時に頻繁に用いられる各種パラメータの設定情報である。例えば、スキャン時の解像度、カラー・モノクロ、送信先のアドレス等の設定情報、又は印刷時のＮup値、後処理等の設定情報である。以下の説明においては、プロファイルがスキャン時における設定情報である場合を例として説明する。
【００４７】
更に、記憶部２２０には、各ユーザを特定するユーザ識別情報と、該ユーザに対応するプロファイルとが関連付けて記憶されており、前記選択受付画面を表示するための画像データ（以下、受付画面画像データという。）が記憶されている。また、記憶部２２０は通信部２３０を介して受信される複合機１００からの原稿画像データを記憶する。
【００４８】
通信部２３０は、外部にデータを送信し、又は外部からデータを受信するネットワークカード、モデム等を備えている。例えば、通信部２３０はＩ／Ｆ（図示せず）を介して、複合機１００から前記原稿画像データを受信し、複合機１００、３００に所定ユーザのプロファイルを送信する。
【００４９】
プロファイル提供部２４０は、何れかの複合機からの要求に応じて、記憶部２２０に記憶されているプロファイルを読出し、通信部２３０を介して当該複合機に送信する。
【００５０】
インターフェイス提供部２５０は、プロファイル提供部２４０が当該プロファイルを送信する際、該プロファイルの送信先の複合機に、前記受付画面画像データを送信する。
【００５１】
制御部２１０は、記憶部２２０、通信部２３０、プロファイル提供部２４０及びインターフェイス提供部２５０を適切に制御し、装置全体を本発明のサーバ２００として動作させる。
【００５２】
図５は本発明の実施の形態に係るジョブシステムにおける、ＩＣカード１０の要部構成を示す機能ブロック図である。本発明に係るジョブシステムのＩＣカード１０は、記憶部１１及び通信部１４を備えている。
【００５３】
記憶部１１は、プライベート領域１２及び共通領域１３を有する。プライベート領域１２には、例えば、複合機１００から受信されたプロファイル及び接続情報が記憶される。また、共通領域１３には、持ち主であるユーザを特定するユーザ識別情報が記憶されている。
【００５４】
通信部１４はリーダライタ９０から送出された電磁波を受信した場合、上述した方法によって、応答信号をリーダライタ９０に送出して、リーダライタ９０との接続を確立する。また、通信部１４は、リーダライタ９０に、共通領域１３に記憶されているユーザ識別情報を送信し、リーダライタ９０から送信される所定のプロファイル及び接続情報を受信する。受信されたプロファイル及び接続情報はプライベート領域１２に記憶される。
【００５５】
図６は本発明の実施の形態に係るジョブシステムにおける、ジョブの実行の一例を説明するフローチャートである。以下、図６を用いて、ＩＣカード１０、複合機１００及びサーバ２００の間における処理を説明する。
【００５６】
複合機１００のＣＰＵ２はＩＣカード１０が所定範囲内に位置しているか否かを判定する（ステップＳ２０１）。複合機１００のリーダライタ９０では、常時起動信号（電磁波）が送信されており、例えば、ユーザＵがＩＣカード１０を、複合機１００のリーダライタ９０にかざした場合には、上述した方法によって、ＩＣカード１０の通信部１４から、前記起動信号に応じた応答信号をリーダライタ９０に送信する。複合機１００のＣＰＵ２は、リーダライタ９０を介して該応答信号を受信した場合、ＩＣカード１０が所定範囲内に位置していると判定する。
【００５７】
複合機１００のＣＰＵ２は、ＩＣカード１０が所定範囲内に位置していないと判定した場合（ステップＳ２０１：ＮＯ）、ＩＣカード１０が所定範囲内に位置するまで、斯かる判定を繰り返す。
【００５８】
一方、複合機１００のＣＰＵ２は、ＩＣカード１０が所定範囲内に位置していると判定した場合（ステップＳ２０１：ＹＥＳ）、換言すれば、ユーザＵがＩＣカード１０を、複合機１００のリーダライタ９０にかざしてログインを図った場合、リーダライタ９０を介して、ユーザ識別情報の送信を要求する旨のデータをＩＣカード１０に送信する。
【００５９】
斯かる要求に応じて、ＩＣカード１０の通信部１４は、記憶部１１からユーザ識別情報を読出し、複合機１００に送信し（ステップＳ１０１）、複合機１００のリーダライタ９０が該ユーザ識別情報を受信する（ステップＳ２０２）。
【００６０】
この際、複合機１００の認証部６は、リーダライタ９０を介してＩＣカード１０から取得したユーザ識別情報を、記憶部８０に記憶されている前記ユーザ識別情報のリストと比較することにより、当該ユーザの認証を行なう。
【００６１】
このような認証部６による認証結果に基づき、ＣＰＵ２は認証が成功したか否かを判定する（ステップＳ２０３）。ＣＰＵ２は認証が成功しなかったと判定した場合（ステップＳ２０３：ＮＯ）、その旨をユーザＵに通知した後、処理を終了する。
【００６２】
一方、ＣＰＵ２によって認証が成功したと判定された場合、（ステップＳ２０３：ＹＥＳ）、表示制御部５は、ユーザから所定ジョブの指示を受け付けるために、表示部７０に前記受付画面を表示させる（ステップＳ２０４）。
【００６３】
図７は本発明の実施の形態に係るジョブシステムにおいて、複合機１００の表示部７０に表示される受付画面の一例を示す例示図である。認証が成功された場合、表示部７０には、初期画面として、図７に示すようなジョブの受付画面が表示される。該ジョブの受付画面には、各種ジョブ（コピー、ＦＡＸ、サーバアプリケーション）毎に、デフォルトのプロファイルが表示されるので、ユーザＵは、該受付画面を介して、ジョブの指定及び対応するプロファイルの選択が出来る。
【００６４】
以下の説明においては、説明の便宜上、サーバアプリケーションが指定される場合を例として説明する。サーバアプリケーションとは、サーバに記憶されているプロファイルに基づくスキャンの実行である。
【００６５】
ユーザＵは原稿台の読取り位置にスキャンすべき原稿を載置した後、操作パネル６０を適宜操作してサーバアプリケーションを指定し、ＣＰＵ２は操作パネル６０を監視することによって、サーバアプリケーションの指定を受け付ける。
【００６６】
この際、ＣＰＵ２は、送受信部５０を介して、サーバ２００に、受信したユーザ識別情報を送信すると共に、該ユーザ識別情報に対応するプロファイル（以下、対応プロファイルという。）を要求する旨のデータを送信する（ステップＳ２０５）。
【００６７】
サーバ２００では、通信部２３０が斯かるユーザ識別情報及び要求のデータを受信し、制御部２１０はプロファイル提供部２４０に対応プロファイルの提供を指示する。
【００６８】
制御部２１０の指示に応じてプロファイル提供部２４０は、当該対応プロファイル（対応設定情報）を記憶部２２０から読出し、通信部２３０を介して複合機１００に送信する（ステップＳ３０１）。例えば、当該対応プロファイルが複数ある場合、プロファイル提供部２４０は、該複数の対応プロファイルを複合機１００に送信する。
【００６９】
複合機１００のＣＰＵ２はサーバ２００からの対応プロファイルを送受信部５０を介して受信して取得する（ステップＳ２０６）。
【００７０】
このようにサーバ２００から対応プロファイルが取得された場合、表示制御部５は表示部７０に前記選択受付画面を表示する。該選択受付画面には、サーバ２００から取得された対応プロファイルがデフォルトとして表示される（ステップＳ２０７）。
【００７１】
図８は本発明の実施の形態に係るジョブシステムにおいて、複合機１００の表示部７０に表示される選択受付画面の一例を示す例示図である。図８に示す選択受付画面には、サーバアプリケーションが指定され、対応するプロファイルとして、サーバ２００から取得された対応プロファイルが表示されている。
【００７２】
一方、サーバ２００から複数の対応プロファイルが送信された場合は、図８に示す選択受付画面が表示される前に、ユーザから何れかの対応プロファイルの選択を受け付け、受け付けた選択に係る対応プロファイルを前記選択受付画面に表示するように構成すれば良い。
【００７３】
ユーザＵは、操作パネル６０を適宜操作して変更した後のプロファイル、又は表示されたままのプロファイルの選択を行なう。斯かる選択はユーザＵが図８に示す「決定」ソフトキーを操作することにより確定される。
【００７４】
ＣＰＵ２は操作パネル６０を監視し、ユーザＵが図８の「決定」ソフトキーを操作した場合、選択受付画面を介してプロファイルの選択を受け付ける（ステップＳ２０８）。この後、ＣＰＵ２は受け付けたプロファイルに基づくスキャンの実行を画像入力部２０に指示する。
【００７５】
ＣＰＵ２の指示に応じて、画像入力部２０は、上述したように、前記原稿台に載置された原稿に対してスキャンを実行する（ステップＳ２０９）。また、斯かるスキャンの実行によって得られる原稿画像データは、送受信部５０を介してサーバ２００に送信される（ステップＳ２１０）。
【００７６】
サーバ２００は、通信部２３０を介して当該原稿画像データを受信し、その後、画像処理、所定の宛先への転送等が行なわれる（ステップＳ３０２）。以降、サーバ２００における処理は終了する。
【００７７】
一方、複合機１００の記録部７は、ステップＳ２０８で前記選択受付画面を介してユーザＵから受け付けたプロファイルと、自機との接続が確立されているサーバ２００との接続確立に用いられる接続情報とを、リーダライタ９０を介して、ＩＣカード１０に送信する（ステップＳ２１１）。以降、複合機１００における処理は終了する。
【００７８】
ＩＣカード１０の通信部１４は、斯かるプロファイル及び接続情報を複合機１００から受信し、記憶部１１にこれらが記憶される（ステップＳ１０２）。以降、ＩＣカード１０における処理は終了する。
【００７９】
更に、本発明の実施の形態に係るジョブシステムにおいては、図６のステップＳ１０２で、ＩＣカード１０に記録されたプロファイル又は接続情報を用いることによって、複合機１００以外の複合機での前記プロファイルに基づく当該ジョブの実行が可能である。以下に、詳しく説明する。
【００８０】
図９は本発明の実施の形態に係るジョブシステムにおける、複合機３００の要部構成を示す機能ブロック図である。
【００８１】
複合機３００は、制御部３０１、画像入力部３２０、画像処理部３３０、画像出力部３４０、送受信部３５０、操作パネル３６０、表示部３７０、記憶部３８０及びリーダライタ３９０等のハードウェアを備えている。このような複合機３００の構成は、上述した複合機１００の構成と同様であるので、これらハードウェアに対する詳しい説明を省略する。
【００８２】
図１０は本発明の実施の形態に係るジョブシステムにおける、複合機３００の制御部３０１の要部構成を示す機能ブロック図である。
【００８３】
複合機３００の制御部３０１は、ＣＰＵ３０２と、ＲＯＭ３０３と、ＲＡＭ３０４と、表示制御部３０５と、認証部３０６と、記録部３０７とを備えており、これらは上述した複合機１００の制御部１と同様であるので、詳しい説明は省略する。
【００８４】
更に、複合機３００の制御部３０１は、判定部３０８を備えている。判定部３０８は、所定のＩＣカードから取得されたユーザ識別情報に対応するプロファイル（対応プロファイル）を、自機と接続が確立されているサーバ４００から取得できるか否かを判定する。判定部３０８による判定結果に基づき、ユーザＵから受け付けた指示に係るジョブが実行される。
【００８５】
図１１及び図１２は本発明の実施の形態に係るジョブシステムにおける、ジョブの実行の他例を説明するフローチャートである。以下、図１１及び図１２を用いて、サーバ２００、複合機３００及びサーバ４００の間における処理を説明する。
【００８６】
複合機３００のＣＰＵ３０２は、上述と同様の方法によって、ＩＣカード１０が所定範囲内に位置しているか否かを判定し、ＩＣカード１０が所定範囲内に位置していると判定した場合、換言すれば、ユーザＵがＩＣカード１０を、複合機３００のリーダライタ３９０にかざしてログインを図った場合、ＩＣカード１０に、ユーザ識別情報の送信を要求する旨のデータが送信される。
【００８７】
斯かる要求に応じて、ＩＣカード１０の通信部１４は、記憶部１１からユーザ識別情報を読出して複合機３００に送信し、複合機３００のリーダライタ３９０が該ユーザ識別情報を受信する（ステップＳ５０１）。
【００８８】
この際、複合機３００の認証部３０６は、リーダライタ３９０を介してＩＣカード１０から取得したユーザ識別情報を、記憶部３８０に記憶されている前記ユーザ識別情報のリストと比較することにより、当該ユーザの認証を行なう。
【００８９】
このような認証部３０６による認証結果に基づき、ＣＰＵ３０２は認証が成功したか否かを判定する（ステップＳ５０２）。ＣＰＵ３０２は認証が成功しなかったと判定した場合（ステップＳ５０２：ＮＯ）、その旨をユーザＵに通知した後、処理を終了する。
【００９０】
一方、ＣＰＵ３０２は、認証が成功したと判定された場合、（ステップＳ５０２：ＹＥＳ）、リーダライタ３９０を介して、プロファイル及び接続情報を要求する旨のデータをＩＣカード１０に送信する。
【００９１】
ＩＣカード１０は斯かる要求のデータを受信した場合、通信部１４が記憶部１１からプロファイル及び接続情報を読み出して複合機３００に送信する。これによって、複合機３００のＣＰＵ３０２は、ＩＣカード１０に記憶されているプロファイル及び接続情報を取得する（ステップＳ５０３）。取得されたプロファイル及び接続情報は、記憶部３８０に記憶される。
【００９２】
この際、表示制御部３０５は前記受付画面を表示部３７０に表示させる（ステップＳ５０４）。（図７参照）また、以下の説明においては、説明の便宜上、前記受付画面を介して、サーバアプリケーションが指定される場合を例として説明する。
【００９３】
ユーザＵは画像入力部３２０の原稿台の読取り位置にスキャンすべき原稿を載置した後、操作パネル３６０を適宜操作してサーバアプリケーションを指定し、ＣＰＵ３０２は操作パネル３６０を監視することによって、サーバアプリケーションの指定を受け付ける。
【００９４】
この際、ＣＰＵ３０２は、送受信部３５０を介して、サーバ４００に、受信したユーザ識別情報を送信すると共に、該ユーザ識別情報に対応する対応プロファイルを要求する旨のデータを送信する（ステップＳ５０５）。
【００９５】
サーバ４００は斯かるユーザ識別情報及び要求のデータを受信し、当該対応プロファイルを記憶部（図示せず）から読出して複合機３００に送信する（ステップＳ６０１）。一方、当該対応プロファイルがない場合、又は、当該ユーザ識別情報自体が記憶されていない場合等には、サーバ４００は対応プロファイルを送信出来ない旨のデータを複合機３００に送信する。
【００９６】
複合機３００の送受信部３５０は当該対応プロファイル又は対応プロファイルを送信出来ない旨のデータを受信し、これらは記憶部３８０に記憶される。また、複合機３００の判定部３０８は、記憶部３８０を確認することにより、サーバ４００から対応プロファイルを取得できたか否かを判定する（ステップＳ５０６）。
【００９７】
複合機３００の判定部３０８がサーバ４００から対応プロファイルを取得できたと判定した場合（ステップＳ５０６：ＹＥＳ）、処理はステップＳ５２２に進み、以降、ステップＳ５２６までの処理が行なわれる。（図１２参照）ステップＳ５２２からステップＳ５２６までの処理は、既に説明した図６のステップＳ２０７からステップＳ２１１までの処理と同様であるので、詳しい説明を省略する。
【００９８】
一方、複合機３００の判定部３０８がサーバ４００から対応プロファイルを取得できなかったと判定した場合（ステップＳ５０６：ＮＯ）、ＣＰＵ３０２は、記憶部３８０を確認することにより、記憶部３８０（又はＩＣカード１０）に接続情報があるか否かを判定する（ステップＳ５０７）。すなわち、ステップＳ５０３で、ＩＣカード１０から取得されたプロファイル及び接続情報は記憶部３８０に記憶されるので、ＣＰＵ３０２は記憶部３８０を確認することによって、ＩＣカード１０に接続情報があるか否かを判定できる。
【００９９】
ＣＰＵ３０２は、記憶部３８０（又はＩＣカード１０）に接続情報があると判定した場合（ステップＳ５０７：ＹＥＳ）、送受信部３５０にサーバ２００との接続確立を指示する。
【０１００】
ＣＰＵ３０２の指示に応じて、送受信部３５０は、当該接続情報を用いて、サーバ２００に接続確立を要求する旨のデータを送信する。この際、ＣＰＵ３０２は、サーバ２００との接続確立が出来たか否かを判定する（ステップＳ５０８）。
【０１０１】
サーバ２００がオフ状態である等の理由により、サーバ２００からの応答がない場合、すなわち、ＣＰＵ３０２がサーバ２００との接続確立が出来なかったと判定した場合（ステップＳ５０８：ＮＯ）、処理はステップＳ５１５に移動する。
【０１０２】
一方、ＣＰＵ３０２は、サーバ２００との接続確立が出来たと判定した場合（ステップＳ５０８：ＹＥＳ）送受信部３５０を介して、サーバ２００に、受信したユーザ識別情報を送信すると共に、該ユーザ識別情報に対応する対応プロファイルを要求する旨のデータを送信する（ステップＳ５０９）。
【０１０３】
サーバ２００では、通信部２３０が斯かるユーザ識別情報及び要求のデータを受信し、該ユーザ識別情報に対応する対応プロファイルを記憶部２２０から読出して、通信部２３０を介して複合機３００に送信する（ステップＳ４０１）。
【０１０４】
複合機３００の送受信部３５０は、当該対応プロファイルを受信し、これは記憶部３８０に記憶される。
【０１０５】
この際、ＣＰＵ３０２は、サーバ２００から受信したプロファイルに基づき、自機で処理可能な組合わせからなる新たなプロファイルを生成する（ステップＳ５１０）。
【０１０６】
このようにして、新たにプロファイルが生成された場合、表示制御部３０５は表示部３７０に前記選択受付画面を表示する。（図８参照）該選択受付画面には、新たに生成されたプロファイルがデフォルトとして表示される（ステップＳ５１１）。例えば、複数のプロファイルが新たに生成された場合には、抽出によって何れかのプロファイルが表示される。
【０１０７】
ユーザＵは、操作パネル３６０を適宜操作して変更した後のプロファイル、又は表示されたままのプロファイルの選択を行なう。また、ＣＰＵ３０２は操作パネル３６０を監視し、選択受付画面を介してプロファイルの選択を受け付ける（ステップＳ５１２）。この後、ＣＰＵ３０２は受け付けたプロファイルに基づくスキャンの実行を画像入力部３２０に指示する。
【０１０８】
ＣＰＵ３０２の指示に応じて、画像入力部３２０は、上述したように、前記原稿台に載置された原稿に対してスキャンを実行する（ステップＳ５１３）。また、斯かるスキャンの実行によって得られる原稿画像データは、送受信部３５０を介してサーバ２００に送信される（ステップＳ５１４）。
【０１０９】
サーバ２００は、通信部２３０を介して当該原稿画像データを受信し、その後、画像処理、所定の宛先への転送等が行なわれる（ステップＳ４０２）。以降、サーバ２００における処理は終了する。
【０１１０】
一方、複合機３００の記録部３０７は、ステップＳ５１２で前記選択受付画面を介してユーザＵから受け付けた選択に係るプロファイルと、自機とサーバ２００との接続確立に用いられる接続情報とを、リーダライタ３９０を介して、ＩＣカード１０に送信する（ステップＳ５２１）。以降、複合機３００における処理は終了する。
【０１１１】
ＩＣカード１０の通信部１４は、斯かるプロファイル及び接続情報を複合機３００から受信し、記憶部１１にこれらが記憶される。
【０１１２】
一方、ステップＳ５０７にて、ＣＰＵ３０２は、ＩＣカード１０に接続情報がないと判定した場合（ステップＳ５０７：ＮＯ）、続いて、ＩＣカード１０に記憶されているプロファイルがあるか否かを判定する（ステップＳ５１５）。
【０１１３】
ＣＰＵ３０２によってプロファイルがないと判定された場合（ステップＳ５１５：ＮＯ）、処理は終了する。
【０１１４】
また、ＣＰＵ３０２はプロファイルがあると判定した場合（ステップＳ５１５：ＹＥＳ）、該プロファイルに基づき、当該プロファイルが自機で処理可能な設定の組み合わせで有れば当該プロファイルに基づきジョブを実行する。
【０１１５】
一方、斯かるプロファイルが自機で処理可能でない設定の組み合せである場合、ＣＰＵ３０２は自機で処理可能な設定の組合わせからなる新たなプロファイルを生成する（ステップＳ５１６）。
【０１１６】
例えば、ＩＣカード１０に記憶されているプロファイルの設定として「読取り解像度４００dpi」が含まれており、自機のスキャン設定上限が読取り解像度３００dpiである場合、ＣＰＵ３０２は自機のスキャン設定上限に合わせて読取り解像度を３００dpiとした新たなプロファイルを生成する。また、他の例としては、ＩＣカード１０に記憶されているプロファイルの設定として「カラー読取り」が含まれており、自機の読取りスキャン仕様が「モノクロ読取り」である場合、ＣＰＵ３０２は自機に合わせてモノクロ読取りとした新たなプロファイルを生成する。
【０１１７】
このようにして、新たにプロファイルが生成された場合、表示制御部３０５は表示部３７０に前記選択受付画面を表示する。（図８参照）該選択受付画面には、新たに生成されたプロファイルがデフォルトとして表示される（ステップＳ５１７）。例えば、複数のプロファイルが新たに生成された場合には、抽出によって何れかのプロファイルが表示される。
【０１１８】
ユーザＵは、操作パネル３６０を適宜操作して変更した後のプロファイル、又は表示されたままのプロファイルの選択を行なう。また、ＣＰＵ３０２は操作パネル３６０を監視し、選択受付画面を介してプロファイルの選択を受け付ける（ステップＳ５１８）。
【０１１９】
この後、画像入力部３２０は、上述したように、前記原稿台に載置された原稿に対してスキャンを実行する（ステップＳ５１９）。また、斯かるスキャンの実行によって得られる原稿画像データは、送受信部３５０を介してサーバ４００に送信される（ステップＳ５２０）。
【０１２０】
サーバ４００は、通信部を介して当該原稿画像データを受信し、その後、画像処理、所定の宛先への転送等が行なわれる（ステップＳ６０２）。以降、サーバ４００における処理は終了する。
【０１２１】
一方、複合機３００の記録部３０７は、ステップＳ５１８で前記選択受付画面を介してユーザＵから受け付けた選択に係るプロファイルと、自機とサーバ４００との接続確立に用いられる接続情報とを、リーダライタ３９０を介して、ＩＣカード１０に送信する（ステップＳ５２１）。以降、複合機３００における処理は終了する。
【０１２２】
ＩＣカード１０の通信部１４は、斯かるプロファイル及び接続情報を複合機３００から受信し、記憶部１１にこれらが記憶される。
【０１２３】
なお、上述した表示制御部５，３０５と、認証部６，３０６と、記録部７，３０７と、判定部３０８と、プロファイル提供部２４０と、インターフェイス提供部２５０とは、ハードウェアロジックによって構成してもよいし、所定のプログラムが実行されることにより、ソフトウェア的に構築されてもよい。
【符号の説明】
【０１２４】
２００、４００  サーバ  
１００、３００  複合機  
１、３０１  制御部
２、３０２  ＣＰＵ
５、３０５  表示制御部
７、３０７  記録部
１０  ＩＣカード
１１  記憶部
１４  通信部
５０、３５０  送受信部
７０、３７０  表示部
９０、３９０  リーダライタ
２１０  制御部
２２０  記憶部
２３０  通信部
３０８  判定部
【図１】
2013165395.tif 000003
【図２】
2013165395.tif 000004
【図３】
2013165395.tif 000005
【図４】
2013165395.tif 000006
【図５】
2013165395.tif 000007
【図６】
2013165395.tif 000008
【図７】
2013165395.tif 000009
【図８】
2013165395.tif 000010
【図９】
2013165395.tif 000011
【図１０】
2013165395.tif 000012
【図１１】
2013165395.tif 000013
【図１２】
2013165395.tif 000014